(57)【要約】【課題】  面倒な指輪のサイズ調整が不要で微調整も自由にでき、簡単に外れない、サイズが自由に調整できる指輪を提供する。【解決手段】指輪が調整部、装飾部，鎖部より成り、コノ字型の上蓋，下蓋にシリコンゴムの平板とラック状に加工されたシリコンゴムを挿入して、レーザーによりロー付けし接合する。左右上下のシリコンゴムの中に、その調整部に鎖を挿入して、指のサイズに合せて調整する、従来のように留め金が簡単に外れることがないことを特徴とするサイズが自由に調整できる指輪。【選択図】  図  １
0003111395.tif 000002
【実用新案登録請求の範囲】
【請求項１】
指輪のサイズの調整にシリコンゴムの弾力性を利用したサイズが自由に調整できる指輪。
【請求項２】
指輪の装飾部に各種のデザインを製作可能な請求項１記載のサイズが自由に調整できる指輪。
【請求項３】
シリコンゴムの弾力性を利用し鎖を中に挿入したため従来のようには容易に外れない請求項１〜３記載のサイズが自由に調整できる指輪。
【考案の詳細な説明】
【技術分野】
【０００１】  本考案は、面倒な指輪のサイズが自由に調整でき、任意の指に使用でき、構造が簡単でデザインのバリエーションも自由に出来る指輪に関するものである。
【背景技術】
【０００２】  従来、需要が多いいサイズが多く製作されており、これを販売店で購入者の指のサイズに合わせて調整しているが、購入者の指のサイズも購入時より変わるために、指輪のリング径を調整している。又、近年サイズが調整できる指輪が公開されている。たとえば、特開２００４−１５４４６６、実開平０７−０３６７２０、実登３０２１２３３等が提案されている。
【考案の開示】
【考案が解決しようとする課題】
【０００３】  それには次のような問題点があった。
（イ）指輪の鎖のサイズ調整を専門家に依頼するしかなかった。
（ロ）指輪の鎖のサイズ調整は難しく、広げるより、縮めるのが困難であった。
（ハ）指の太さは変わるが調整が簡単に出来なかった。
（ニ）素人でも調整が簡単に出来る指輪が少ない。
本考案は、以上の問題点を解決するためのものである。
【問題を解決するための手段】
【０００４】  この指輪の考案は、指輪本体（１）は調整部（２）・装飾部（３）・鎖部（４）よりなり、調整部（２）の上部にコの字型の上蓋Ａ（５）を設け、下部に下蓋Ｂ（６）を設ける、コの字型上蓋Ａ（５）の内側の上部にシリコンゴム（７）を取り付け、下蓋Ｂ（６）の内側の下部にシリコンゴム（８）を挿入する。また、装飾部（３）にはいろいろのデザインのバリエーションを自由に作ることができる。
【発明の効果】
【０００５】  上蓋Ａの上面部と下蓋Ｂの底面にシリコンゴムを貼り付け、その間にフラットな鎖を通し、圧着して上蓋Ａと下蓋Ｂをレーザーによりロウ付けする、中の鎖をシリコンゴムの一定の圧力で固定することにより、指輪のサイズが自由に調整でき、任意の指に使用出来る。又装飾部を各種のデザインで自由に作ることもできる。又、容易には外れて落とすことはなくなる。
【考案を実施するための最良の形態】
【０００６】  以下、本発明の実施の形態を説明する
（イ）指輪本体（１）は調整部（２）、装飾部（３）、鎖部（４）より構成されている。
（ロ）調整部（２）の上部にコの字型の上蓋Ａ（５）を設け、その上蓋Ａ（５）の内側上部にシリコンゴム（７）を接着する。
（ハ）下蓋Ｂ（６）の内側の下部にシリコンゴム（８）を挿入し接着する。
（ニ）装飾部（３）の上部はいろいろのデザインを自由に加工できることができる。
（ホ）各シリコンゴムを挿入後に上蓋Ａ（５）と下蓋Ｂ（６）をレザーによりロー付け接合する。
（ヘ）そして、鎖部（４）を上蓋Ａ（５）と下蓋Ｂ（６）の内部の弾力性のあるシリコンゴムに囲まれた中に挿入して、自由に指輪の太さを調整できる。
本発明は、以上の構成よりなっている。
これを使用する時は、鎖を緩めておき、指輪本体に指を差込み、鎖の先端を引張り、調整して指のサイズに合せる。
【図面の簡単な説明】
【０００７】
【図１】本発明の正面図である。
【図２】本発明の平面図である。
【図３】本発明の上蓋Ａの斜視図である。
【図４】本発明の下蓋Ｂの斜視図である。
【図５】本発明のＡ−Ａ’の断面図である。
【図６】本発明のＢ−Ｂ’の断面図である。
【図７】本発明の鎖部の平面断面図である。
【図８】本発明の組立て分解図である。
【符号の説明】
【０００８】  １  指輪本体
２  調整部
３  装飾部
４  鎖部
５  上蓋Ａ
６  下蓋Ｂ
７  シリコンゴムＡ
８  シリコンゴムＢ
【図１】
0003111395.tif 000003
【図２】
0003111395.tif 000004
【図３】
0003111395.tif 000005
【図４】
0003111395.tif 000006
【図５】
0003111395.tif 000007
【図６】
0003111395.tif 000008
【図７】
0003111395.tif 000009
【図８】
0003111395.tif 000010
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
指輪本体（１）の調整部（２）において、上蓋Ａ（５）の上面にシリコンゴムＡ（７）を貼り付け、下蓋Ｂ（６）の底面にシリコンゴムＢ（８）を貼り付ける、シリコンゴムを貼り付けた上蓋Ａ（５）と下蓋Ｂ（６）の中間に鎖部（４）を通し、圧着して上蓋Ａ（５）と下蓋Ｂ（６）をレザーによりロウ付けして接続する事により、中の鎖部（４）を一定の圧力で固定しサイズが自由に調整できる指輪。
【請求項２】
指輪本体（１）の上部装飾部（３）を各種のデザインで製作可能な請求項１記載のサイズが自由に調整できる指輪。
【請求項３】
指輪本体（１）の調整部（２）において、鎖部（４）がシリコンゴムの弾力で一定の圧力で固定され容易には外れないが、鎖部（４）を引っ張ったりちじめたりすることにより、指輪のサイズが調整できる請求項１〜２記載のサイズが自由に調整できる指輪。
【手続補正２】
【補正対象書類名】明細書
【補正対象項目名】全文
【補正方法】変更
【補正の内容】
【考案の詳細な説明】
【技術分野】
【０００１】  本考案は、指輪のサイズが自由に調整でき、指のサイズを気にしなくてもよく、構造が簡単な指輪に関するものである。
【背景技術】
【０００２】従来は、需要が多いサイズを多く製作されており，これを販売店で購入者の指のサイズに合わせて調整している、購入者の指のサイズも購入時より数年後には変わるために、指輪のリング径を調整するか、又はそのまま使われずになってしまう。近年サイズが調整できる指輪が公開されている。例えば、  特開２００４−１５４４６６号公報  特開平−０３６７２０号公報  実用３０２１２３３号公報が提案されている。
【考案の開示】
【考案が解決しようとする課題】
【０００３】  それには次のような問題点があった。    （イ）指のサイズを気にせず購入できる指輪は少ない。    （ロ）指輪のサイズ調整を専門家に依頼するしかなかった。    （ハ）指輪のサイズ調整は難しく、困難であった。    （ニ）指の太さは変わるが調整が簡単に出来なく、専門家に頼むか、そのまま使用しないかであった。    （ホ）素人でも簡単に調整できる指輪が少ない。  本考案は、以上の問題点を解決するためのものである。
【問題を解決するための手段】
【０００４】  この指輪の構成は、指輪本体（１）は調整部（２）・装飾部（３）・鎖部（４）より成り、調整部（２）の上部にコの字型の上蓋Ａ（５）を設け，その内側上面にシリコンゴムＡ（７）を接着剤で貼り付け接着し、又調整部（２）の下部にコの字型の下蓋Ｂ（６）設け、その内側コの字型の内側部分にシリコンゴムＢ（８）を接着剤で貼り付け接着する。そして図８に示すようにフラットな鎖部（４）を上蓋Ａ（５）と下蓋Ｂ（６）の中間に挟み込み圧着してレザーによりロー付け接合し、中間の鎖部（４）を一定の圧力で固定する。鎖部（４）はその先端部を引っ張ったり、ちじめたりする事で指輪のサイズが調整できる。上蓋Ａ（５）のパーツを各種のデザインで作るか、上蓋Ａのパーツに別のパーツを付ける事により、デザインのバリエーションを自由に作ることができる。
【発明の効果】
【０００５】  構造が簡単でデザインのバリエーションも自由にでき、指輪のサイズがミリ単位で自由に長さの調整でき、任意の指に使用できる効果が生まれた。
【考案を実施するための最良の形態】
【０００６】  以下、本発明の実施の形態を説明する。    （イ）指輪本体（１）は調整部（２）、装飾部（３）、鎖部（４）より構成されている。    （ロ）調整部（２）の上部にコの字型の上蓋Ａ（５）を設け、その上蓋Ａ（５）の内側上部にシリコンゴムＡを接着剤で接着する。    （ハ）下蓋Ｂ（６）の内側の下部にシリコンゴムＢ（６）を挿入し接着剤で接着する。    （ニ）シリコンゴムを接着した上蓋Ａ（５）と下蓋Ｂ（６）の中間部に図８のように鎖部（４）を挿入し、上蓋Ａ（５）と（６）を圧着して、レザーによりロー付けし、中の鎖（４）を一定の圧力で固定する。    （ホ）鎖部（４）は先部を引っ張ったりちじめたりすることで自由に指輪のサイズを調整できる。    （ヘ）装飾部（３）は色々のデザインに加工した物を取り付けることができる。  本発明は、以上のような構成よりなっている。  これを使用するときは、鎖部を緩めておき、指輪本体に指を差込み、鎖部の先端部を引張りサイズに合わせ調整する。
【図面の簡単な説明】
【０００７】
【図１】本発明の正面図である。
【図２】本発明の平面図である。
【図３】本発明の上蓋Ａの斜視図である。
【図４】本発明の下蓋Ｂの斜視図である。
【図５】本発明のＡ−Ａ’の断面図である。
【図６】本発明のＢ−Ｂ’の断面図である。
【図７】本発明の組立て分解図である。
【符号の説明】
【０００８】  １  指輪本体  ２  調整部  ３  装飾部  ４  鎖部  ５  上蓋Ａ  ６  下蓋Ｂ  ７  シリコンゴムＡ  ８  シリコンゴムＢ
【手続補正３】
【補正対象書類名】図面
【補正対象項目名】図７
【補正方法】変更
【補正の内容】
【図７】
0003111395.tif 000011
【手続補正４】
【補正対象書類名】図面
【補正対象項目名】図８
【補正方法】削除
【補正の内容】